(57)【要約】【課題】携帯端末本体の側面及び背面を覆う携帯端末のカバーを構成する木材が水分を含んで膨張しても全体として見映えが悪化することなく快適に使用できるようにする。【解決手段】カバー１０を平坦な内側平板部２１及びこの内側平板部２１に連続する内側湾曲部２２を有する樹脂成形品よりなる内側部材２０と、内側平板部２１に当接し、この内側平板部２１を覆う平坦な外側平板部３１及び、この外側平板部３１に連続して内側湾曲部２２を覆う外側湾曲部３２を有し、木材よりなる外側部材３０とで構成する。内側平板部２１と外側平板部３１とを接着する一方、少なくとも内側湾曲部２２及び外側湾曲部３２における携帯端末本体１の長手方向に伸びる側面を覆う部分は互いに非接着とし、内側湾曲部２２には、外側へ広がり、外側湾曲部３２の端面３２ａが当接するフランジ部２３を形成する。【選択図】図１
2012100034.tif 000002
【特許請求の範囲】
【請求項１】
携帯端末本体の側面及び背面を覆う携帯端末のカバーにおいて、
平坦な内側平板部及び該内側平板部に連続する内側湾曲部を有する樹脂成形品よりなる内側部材と、
上記内側平板部に当接して該内側平板部を覆う平坦な外側平板部及び該外側平板部に連続して上記内側湾曲部を覆う外側湾曲部を有し、木材よりなる外側部材とを備え、
上記内側平板部と上記外側平板部とが接着される一方、少なくとも上記内側湾曲部及び上記外側湾曲部における上記携帯端末本体の長手方向に伸びる側面を覆う部分は互いに非接着であり、
上記内側湾曲部には、外側へ広がり、上記外側湾曲部の端面が当接するフランジ部が形成されている
ことを特徴とする携帯端末のカバー。
【請求項２】
請求項１に記載の携帯端末のカバーにおいて、
上記内側部材を正面側から見たときの上記フランジ部の幅は、該フランジ部の内周が上記外側湾曲部が最も収縮したときの内周と同一位置又はそれよりも内側にあり、該フランジ部の外周が該外側湾曲部が最も膨らんだときの内周よりも外側にあるように設定されている
ことを特徴とする携帯端末のカバー。
【請求項３】
請求項１又は２に記載の携帯端末のカバーにおいて、
上記内側部材には、上記携帯端末本体に係合させるための弾性変形可能な係合爪が設けられている
ことを特徴とする携帯端末のカバー。
【請求項４】
請求項１乃至３のいずれか１つに記載の携帯端末のカバーにおいて、
上記木材の含水による変形の大きい方向を上記携帯端末本体の幅方向とし、含水による変形の小さい方向を上記携帯端末本体の長手方向とするように、該木材の木目が配置されている
ことを特徴とする携帯端末のカバー。
【請求項５】
請求項１乃至４のいずれか１つに記載の携帯端末のカバーにおいて、
上記内側部材及び外側部材には、対応する位置にそれぞれ貫通孔が形成され、
上記外側部材の貫通孔の内周には、フランジ付きの環状補強部材が嵌め込まれている
ことを特徴とする携帯端末のカバー。
【請求項６】
請求項５に記載の携帯端末のカバーにおいて、
上記環状の補強部材のフランジは、上記内側部材側へ若干突出した突出部を有し、該突出部に対応して該内側部材には、該突出部が嵌め込まれる凹陥部が形成され、該凹陥部と突出部とで該内側部材と上記外側部材との位置決めが行われるように構成されている
ことを特徴とする携帯端末のカバー。
【請求項７】
請求項１乃至６のいずれか１つに記載の携帯端末のカバーを備えた携帯端末において、
表面側にタッチパネルを含む表示部が設けられ、背面及び側面が上記カバーで覆われている
ことを特徴とする携帯端末。
【請求項８】
請求項７に記載の携帯端末において、
上記カバーは、着脱可能に構成され、該カバーを外した状態でバッテリーが露出すると共に、内部の修理が可能となる
ことを特徴とする携帯端末。
【発明の詳細な説明】
【技術分野】
【０００１】
本発明は、携帯端末の背面側を覆うカバー及びそれを備えた携帯端末に関するものである。
【背景技術】
【０００２】
従来より、木材は、その手触り、色合い、香りなど金属や合成樹脂にはない独特の特徴を有するが、劣化の問題があるため、携帯端末のカバーとして広く利用されることはなかった。
【０００３】
しかし、近年、特許文献１のように、木材表面を圧縮加工することにより、木目による自然な風合いを残しつつ、カメラなどの筐体に使用することが行われている。この筐体では、圧縮による変形を抑えるために裏面に熱可塑性シート部材を一体に圧縮している。
【先行技術文献】
【特許文献】
【０００４】
【特許文献１】特開２００７−２２９９３５号公報
【発明の概要】
【発明が解決しようとする課題】
【０００５】
しかしながら、上記特許文献１のカバーでは、圧縮により、木材とシート部材とを一体成形しているので、シート側に複雑な形状を形成することができない。
【０００６】
一方、圧縮加工された木材を金型に入れて溶融した樹脂を流し込んで成形することは技術的に難しい。
【０００７】
このため、木材と樹脂成形品とを別々に成形して接合する必要があった。しかし、木材は、水分を吸収すると膨張する一方、樹脂成形品は水分を吸収しないことから、収縮差が生じ、カバーが変形しやすいという問題がある。
【０００８】
本発明は、かかる点に鑑みてなされたものであり、その目的とするところは、カバーを構成する木材が水分を含んで膨張しても全体として見映えが悪化することなく快適に使用できるようにすることにある。
【課題を解決するための手段】
【０００９】
上記の目的を達成するために、この発明では、木材よりなる外側部材と、樹脂成形品よりなる内側部材の平板部とを主として接着するようにした。
【００１０】
具体的には、第１の発明では、携帯端末本体の側面及び背面を覆う携帯端末のカバーを前提とし、
上記カバーは、
平坦な内側平板部及び該内側平板部に連続する内側湾曲部を有する樹脂成形品よりなる内側部材と、
上記内側平板部に当接して該内側平板部を覆う平坦な外側平板部及び該外側平板部に連続して上記内側湾曲部を覆う外側湾曲部を有し、木材よりなる外側部材とを備え、
上記内側平板部と上記外側平板部とが接着される一方、少なくとも上記内側湾曲部及び上記外側湾曲部における上記携帯端末本体の長手方向に伸びる側面を覆う部分は互いに非接着であり、
上記内側湾曲部には、外側へ広がり、上記外側湾曲部の端面が当接するフランジ部が形成されている。
【００１１】
上記の構成によると、木材よりなる外側部材と樹脂成形品よりなる内側部材との二重構造であるため、強度が向上する上に、内側部材が樹脂成形品で構成されているので、携帯端末本体に係合するための係合爪やカメラ用開口など複雑な形状でも容易に形成できる。また、木材が含水により膨張しても、少なくとも変形の大きい携帯端末本体の長手方向側面を覆う湾曲部同士で外側部材と内側部材とが接着されていないので、この部分では外側部材のみが膨張し、内側部材が一緒に変形することはない。このため、内側部材が木材の膨張作用を阻害しないので、含水により膨張しない内側部材との間で無理な力がかからず、木材が劣化しにくく、外観も悪化しにくい。内側部材は含水により変形しないので、携帯端末本体との間で寸法変化が生じず、係合爪などによる携帯端末本体との嵌合が弱まるなどの悪影響が避けられる。また、外側部材と内側部材とを全面を接着する場合に比べて接着剤の量が減ってコストダウンとなると共に、接着剤がはみ出して見映えが悪くなることはない。なお、ここでいう平坦とは、断面で必ずしも完全な直線ではなく、若干湾曲した部分を有するものでもよいことを意味する。
【００１２】
第２の発明では、第１の発明において、
上記内側部材を正面側から見たときの上記フランジ部の幅は、該フランジ部の内周が上記外側湾曲部が最も収縮したときの内周と同一位置又はそれよりも内側にあり、該フランジ部の外周が該外側湾曲部が最も膨らんだときの内周よりも外側にあるように設定されている。
【００１３】
上記の構成によると、フランジ部の幅が適切に設定されているので、木材が最も収縮したときに外側湾曲部の内面が内側湾曲部の外面に強く当接せず、内側部材が変形しない。また、外側部材が最も膨張しても、内側部材のフランジとの間に隙間が生じないので、外観が悪化したり、隙間に異物が入り込んだりすることはない。
【００１４】
第３の発明では、第１又は第２の発明において、
上記内側部材には、上記携帯端末本体に係合させるための弾性変形可能な係合爪が設けられている。
【００１５】
上記の構成によると、外側部材が含水により膨張しても内側部材は変形しないので、携帯端末本体との間で寸法変化が生じず、係合爪による携帯端末本体との嵌合が弱まることはない。
【００１６】
第４の発明では、第１乃至第３のいずれか１つの発明において、
上記木材の含水による変形の大きい方向を上記携帯端末本体の幅方向とし、含水による変形の小さい方向を上記携帯端末本体の長手方向とするように、該木材の木目が配置されている。
【００１７】
すなわち、木材の木目は、繊維の伸びる長手方向には膨張しにくく、幅方向には膨張しやすいという性質がある。そこで、上記の構成によると、木材の膨張しにくい方向を携帯端末本体の長手方向としているので、含水による外側部材の変形による影響を最小限にとどめることができる。
【００１８】
第５の発明では、第１乃至第４のいずれか１つの発明において、
上記内側部材及び外側部材には、対応する位置にそれぞれ貫通孔が形成され、
上記外側部材の貫通孔の内周には、フランジ付きの環状補強部材が嵌め込まれている。
【００１９】
上記の構成によると、木材よりなる外側部材の貫通孔周辺をフランジ付きの環状補強部材で補強しているので、外側部材が損傷しにくく、膨張によって貫通孔が拡大しても、環状補強部材はフランジを有するので、外観が悪化したり外れたりしない。
【００２０】
第６の発明では、第５の発明において、
上記環状の補強部材のフランジは、上記内側部材側へ若干突出した突出部を有し、該突出部に対応して該内側部材には、該突出部が嵌め込まれる凹陥部が形成され、該凹陥部と突出部とで該内側部材と上記外側部材との位置決めが行われるように構成されている。
【００２１】
上記の構成によると、内側部材に外側部材を接着するときに、フランジの突出部が内側部材の凹陥部に嵌合するので、位置決めが極めて容易である。
【００２２】
第７の発明では、第１乃至第６のいずれか１つの発明において、
表面側にタッチパネルを含む表示部が設けられ、背面及び側面が上記カバーで覆われている。
【００２３】
上記の構成によると、手触りがよく、コンパクトで操作性のよい携帯端末が得られる。
【００２４】
第８の発明では、第７の発明において、
上記カバーは、着脱可能に構成され、該カバーを外した状態でバッテリーが露出すると共に、内部の修理が可能となる。
【００２５】
上記の構成によると、カバーを取り外せば、バッテリーが露出するのでバッテリーの交換が可能であり、内部の修理も行える。カバーは着脱可能なので、複数カバーを用意しておけば、着せ替えも可能であり、商品価値が向上する。
【発明の効果】
【００２６】
以上説明したように、本発明によれば、樹脂成形品よりなる内側部材を木材よりなる外側部材で覆う際に少なくともその内側湾曲部及び外側湾曲部における携帯端末本体の長手方向に伸びる側面を覆う部分を互いに非接着とし、さらに、内側部材に外側部材の端面が当接するフランジ部を設けたことにより、木材が水分を含んで膨張しても全体として見映えが悪化することなく快適に使用できる。
【図面の簡単な説明】
【００２７】
【図１】本実施形態の携帯端末のカバーの分解斜視図である。
【図２】携帯端末の正面側を示す斜視図である。
【図３】携帯端末の背面側を示す斜視図である。
【図４】携帯端末を示す背面図である。
【図５】図４のＶ−Ｖ線断面図である。
【図６】携帯端末本体の背面側を示す斜視図である。
【図７】カバーの正面側を示す斜視図である。
【図８】外側部材単体の正面側を示す斜視図である。
【図９】環状補強部材が嵌め込まれた外側部材の正面側を示す斜視図である。
【図１０】膨張試験で測った寸法を示す概略説明図であり、（ａ）外側部材の正面図であり、（ｂ）が外側部材の底面図である。
【図１１】膨張試験の結果を示す表である。
【図１２】膨張試験の幅寸法の変化を示すグラフである。
【図１３】膨張試験の長手寸法の変化を示すグラフである。
【発明を実施するための形態】
【００２８】
以下、本発明の実施形態を図面に基づいて説明する。
【００２９】
図２〜図５は本発明の実施形態の携帯端末１を示し、例えば、この携帯端末１は携帯電話機と携帯情報端末とを融合させた、いわゆるスマートフォンである。携帯端末１は、正面側に平坦な表示部２を有する。表示部２は、液晶ディスプレイでも有機液晶ディスプレイでもよく、さらに２次元画像だけでなく、３次元画像を表示可能に構成してもよい。表示部２の下側には例えば３つの機能ボタン３が設けられ、これらは例えば、通話開始ボタン、ロックボタン及び通話終了ボタンよりなる。表示部２は、平坦なアクリル板２ａで覆われ、タッチパネル４を有する。アクリル板２ａは、携帯端末本体５の外周を形成する表示部側フランジ部２ｂの内周側に嵌め込まれている。本実施形態の携帯端末１は、例えば、正面視で湾曲した上下方向に長い豆型を有する。そして、この携帯端末本体５の側面５ａ全体及び背面５ｂ全体がカバー１０で覆われている。なお、携帯端末１の形状は、このような正面視豆型のものに限定されず、丸みの少ない略矩形状のものであってもよい。但し、丸みが多い方が見た目やさわり心地がよい上に後述する内側部材２０の圧縮成形が容易である。
【００３０】
図６に示すように、携帯端末本体５の背面側の上側には、例えば、カメラ部６、フラッシュ部７、スピーカ部８、赤外線センサ部９等が配置されている。それに対応させて図７に示すように、カバー１０には、カメラ窓１１、フラッシュ窓１２、スピーカ窓１３、赤外線センサ用窓１４が形成されている。図６に示すように、携帯端末本体５の背面側の下側には、バッテリー収容部１５が凹陥され、このバッテリー収容部１５には図示しないバッテリーが収容されるようになっている。また、カード挿入部１８も複数箇所に設けられている。すなわち、カバー１０を外すことで、携帯端末本体５の背面側が露出し、バッテリーやカード類を脱着したり、内部の修理を行ったりできるようになっている。携帯端末本体５の上端には、バッテリーに充電したり、データのやりとりをするためのＵＳＢ端子（図示せず）が設けられ、図４に示すように、このＵＳＢ端子をＵＳＢ端子用蓋１７が開閉可能に覆っている。
【００３１】
そして、図１に分解して示すように、カバー１０は、平坦な内側平板部２１及びこの内側平板部２１に連続する内側湾曲部２２を有する内側部材２０を備える。本実施形態では、例えば、内側部材２０は、ＡＢＳ樹脂などの射出成形による樹脂成形品よりなり、その厚さは１ｍｍ程度である。なお、内側部材２０をアルミニウム合金、マグネシウム合金などの金属成形品で構成してもよいが、樹脂成形品の方が、複雑な形状を一度に成形できて製造コストが安く、軽量で無線に対して悪影響を及ぼさない点で望ましい。
【００３２】
一方、カバー１０は、内側平板部２１に当接し、この内側平板部２１を覆う平坦な外側平板部３１及び、この外側平板部３１に連続して内側湾曲部２２を覆う外側湾曲部３２を有する外側部材３０を備える。この外側部材は、例えば、ヒノキなどの木材を圧縮して成形したものよりなる。ヒノキであれば、機械的強度が高く、よい香りがする上に抗菌効果もある。
【００３３】
詳しく説明すると、内側部材２０の内側平板部２１は、図５に断面で示すようにほぼ完全な平坦でなくても、一部の断面が若干湾曲していてもよい。内側湾曲部２２は、断面円弧状に滑らかに湾曲している。例えば、内側平板部２１の範囲は、図４に破線で例示するように、携帯端末本体５のカメラ部６、フラッシュ部７、スピーカ部８、赤外線センサ部９、バッテリー収容部１５等が形成された領域に相当する。なお、内側平板部２１と内側湾曲部２２との境界は必ずしも明確である必要はない。図１及び図７に示すように、内側部材２０には、カメラ窓１１ａ、フラッシュ窓１２ａ、スピーカ窓１３ａ及び赤外線センサ用窓１４ａよりなる貫通孔が形成されている。図１及び図５に示すように、内側部材２０の内側湾曲部２２には、外側へ広がり、外側湾曲部３２の端面３２ａが当接するフランジ部２３が形成されている。ＵＳＢ端子用蓋１７に対応して内側部材２０の上端には、内側端子用開口２４が切り欠かれている。図７に示すように、内側部材２０の下端には、携帯端末本体５の下端に設けた係合孔５ｃに係合する係合部２５が上方に突出するように一体形成されている。なお、図１に示すように、内側部材２０の正面側の外周には、カバー１０を携帯端末本体５に着脱自在に係合するための弾性変形可能な係合爪としての金属バネ１６を収容するバネ収容部２６が間隔をあけて凹陥され、各バネ収容部２６のフランジ部２３側には、金属バネ１６の先端１６ａを露出させるためのバネ用開口２７が設けられている。なお、図６に示すように、携帯端末本体５には、この金属バネ１６の先端１６ａが係合する係合突起５ｄが突設されている。なお、内側部材２０の内側平板部２１の下端側には、バッテリーとの干渉を避けるための三角形状切欠２８が形成されている。
【００３４】
外側部材３０の外側平板部３１も内側平板部２１と同様に完全に平坦である必要はなく、断面が若干湾曲していてもよい。その範囲も内側平板部２１と同様である。外側湾曲部３２は、内側湾曲部２２と同様に断面円弧状に滑らかに湾曲している。図４に示すように、外側部材３０においては、木材の含水による変形の大きい方向を携帯端末１の幅方向とし、含水による変形の小さい方向を携帯端末１の長手方向とするように木材の木目３０ａが配置されている。具体的には、図４に例示するように、外側部材３０の板目の山形の頂点部分が携帯端末１の上下方向に向くように木目３０ａが配置され、木目３０ａの直線状部分が上下方向に伸びている。一方、木目３０ａの直線状部分が携帯端末１の幅方向に伸びるような木目３０ａの配置は、木材の膨張の影響が大きくなって望ましくない。なお、図４以外の図では、木目３０ａは省略している。
【００３５】
図８に示すように、外側部材３０には、カメラ窓１１ｂ、フラッシュ窓１２ｂ、スピーカ窓１３ｂ及び赤外線センサ用窓１４ｂよりなる貫通孔が形成されている。詳しくは図示しないが、小さな貫通孔よりなるスピーカ窓１３ｂ以外の各貫通孔にはザグリ３３が形成されている。図１に示すように、これらの貫通孔の内周には、フランジ４０ａ付きの環状補強部材４０が嵌め込まれている。フランジ４０ａは、ザグリ３３に嵌め込まれて位置決めされて抜け止めされている。図３等に示すように、見映えや触感を重視し、環状補強部材４０は、嵌め込まれた状態でその表面側が外側部材３０の表面と段差がないようになっている。一方、フランジ４０ａ側については、図９に示すように、フラッシュ窓１２ｂ及び赤外線センサ用窓１４ｂに対応するフランジ４０ａについては、外側部材３０の裏面と段差がないように嵌め込まれているが、カメラ窓１１ｂについては、フランジ４０ａが外側部材３０の裏面よりも若干突出した突出部４０ｂを形成している。ＵＳＢ端子用蓋１７に対応して外側部材３０の上端には、上記内側端子用開口２４よりも若干大きく、外側端子用開口３４が切り欠かれている。
【００３６】
この突出部４０ｂに対応して内側部材２０には、図１に示すように、突出部４０ｂが嵌め込まれる凹陥部４１が形成されている。このことで、凹陥部４１と突出部４０ｂとで、内側部材２０と外側部材３０との位置決めが行われるように構成されている。
【００３７】
そして、外側部材３０の肉厚は、例えば、１．５ｍｍであり、図５に示す内側部材２０のフランジ部２３の幅Ｗは、このフランジ部２３の内周が外側湾曲部３２が最も収縮したときの内周と同一位置又はそれよりも内側にあり、外側湾曲部３２が最も膨らんだときの内周よりも外側にあるように設定されている。言い換えれば、外側湾曲部３２が最も収縮したときに内側湾曲部２２の外面に強く接触せず、外側湾曲部３２が最も膨らんだときに内側湾曲部２２との間に隙間が生じないようになっている。この実施形態では、例えばフランジ部２３の幅は１ｍｍである。なお、外側部材３０の肉厚は、薄い方が圧縮成形は容易であり、本実施形態の外側部材３０は、内側部材２０との二重構造であるため、１．５ｍｍ程度に薄くすることができる。外側部材３０の膨張度合いや肉厚に合わせてフランジ部２３の幅を調整するとよい。
【００３８】
図５に例示するように、本実施形態のカバー１０では、内側平板部２１と外側平板部３１とが接着剤４２又は両面テープ４２により接着されている。一方、内側湾曲部２２及び外側湾曲部３２における携帯端末本体５の長手方向に伸びる側面５ａ、すなわち左右側面を覆う部分は互いに非接着となっている。場合によっては、携帯端末本体５の上下側の側面５ａを覆う内側湾曲部２２及び外側湾曲部３２を若干接着することは可能である。接着剤４２を塗布する範囲は、厳密には特定されないが、要は、木材の収縮の大きい携帯端末１の幅方向（左右方向）で接着を行わず、木材の膨張及び収縮を許容させるようにするとよい。なお、接着剤４２がはみ出さないように、貫通孔１１ｂ，１２ｂ，１３ｂ，１４ｂ、三角形状切欠２８、ザグリ３３等の周辺では接着しない。
【００３９】
本実施形態の携帯端末１は、表面側にタッチパネル４を含む表示部２が設けられ、背面５ｂ及び側面５ａがカバー１０で覆われているので、手触りがよく、コンパクトで操作性のよいものとなっている。
【００４０】
−カバーの組付方法−
次に、本実施形態にかかる携帯端末のカバー１０の組付方法について簡単に説明する。
【００４１】
まず、図１に示すように、内側部材２０と外側部材３０とを別々に成形しておく。内側部材２０のバネ収容部２６に金属バネ１６を嵌め込み、その先端１６ａをバネ用開口２７から露出させておく。外側部材３０のカメラ窓１１ｂ、フラッシュ窓１２ｂ及び赤外線センサ用窓１４ｂにそれぞれ対応する環状補強部材４０を嵌め込んでおく。このように、木材よりなる外側部材３０の貫通孔周辺をフランジ４０ａ付きの環状補強部材４０で補強しているので、外側部材３０が損傷しにくく、膨張によって貫通孔が拡大しても、環状補強部材４０はフランジ４０ａを有するので、外観が悪化したり外れたりしない。
【００４２】
次いで、内側平板部２１に接着剤４２を塗布する。なお、外側平板部３１側に接着剤４２を塗布してもよく、また、接着剤４２でなく、両面テープ４２を貼り付けてもよい。場合により、上下の内側湾曲部２２に接着剤４２を若干塗布してもよいが、左右の内側湾曲部２２には、接着剤４２を塗布しない。
【００４３】
次いで、内側部材２０に外側部材３０を押しつけて接着する。このときに、フランジ部２３の突出部４０ｂが内側部材２０の凹陥部４１に嵌合するので、位置決めが極めて容易である。
【００４４】
このようにして内側部材２０と外側部材３０とが接着されたカバー１０を携帯端末本体５に嵌め込むには、まず、内側部材２０の下端部にある係合部２５を携帯端末本体５の下端部にある係合孔５ｃに嵌め込み、表示部側フランジ部２ｂの背面に内側部材２０のフランジ部２３の端面３２ａを当接させるように嵌め込んでいく。すると、金属バネ１６の先端１６ａが携帯端末本体５側の係合突起５ｄに乗り上げられるときに、その弾性により押し曲げられ、次に係合突起５ｄを乗り越えると、弾性により元に戻ってカバー１０が携帯端末本体５から外れにくくなる。
【００４５】
最後に携帯端末本体５の上端に取り付けられているＵＳＢ端子用蓋１７で内側端子用開口及び外側端子用開口３４を塞ぐ。
【００４６】
逆にカバー１０を外すには、ＵＳＢ端子用蓋１７を開き、露出した内側端子用開口及び外側端子用開口３４の部分と表示部側フランジ部２ｂとに爪を掛けて押し広げると、金属バネ１６の先端１６ａが係合突起５ｄを乗り越え、カバー１０が携帯端末本体５から外れる。
【００４７】
カバー１０は簡単に着脱できるので、木目３０ａや色合いの異なるカバー１０や異なる木材よりなるカバー１０を用意しておけば、着せ替えにより、異なる色合いや香りを楽しむことができる。
【００４８】
−カバーの膨張試験−
次いで、外側部材３０の膨張試験を行った結果について説明する。
【００４９】
まず、内側平板部２１及び外側平板部３１のみが両面テープ４２により接着されたカバー１０を用意する。
【００５０】
次いで、室温４０℃湿度９５％の高温高湿に一定に保って放置する。図１０に示す幅Ａ〜Ｃ、長手方向長さＤ及び反りＥを計測した結果を図１１〜図１３に示す。
【００５１】
これらの図を見てわかるように、吸湿して含水すると、カバー１０の幅Ａ〜Ｃが１．３〜１．４ｍｍ膨張する一方、長手方向長さＤは、０．２ｍｍ程度しか膨張しなかった。反りＥについては、ない、又は、ほぼない状態であった。木材の木目３０ａは、繊維の伸びる長手方向には膨張しにくく、幅方向には膨張しやすいという性質がある。ここでは、木材の膨張しにくい方向を携帯端末本体５の長手方向としているので、含水による外側部材３０の変形による影響を最小限にとどめることができた。
【００５２】
カバー１０では、外側部材３０が含水により膨張しても内側部材２０は変形しないので、最も膨張した場合でも、携帯端末本体５との間で寸法変化が生じず、金属バネ１６による携帯端末本体５との嵌合が弱まることはないことがわかった。
【００５３】
なお、図１１の表に参考で記載したように、ほぼ一定の温度及び湿度で乾燥させると、徐々にカバー１０の形は元に収縮することがわかった。
【００５４】
このように幅方向に外側湾曲部３２が左右で合計１．４ｍｍ程度膨張しても、内側部材２０のフランジ部２３の幅が左右それぞれ１ｍｍ以上あるので、外側湾曲部３２が最も膨らんだときの内周よりもフランジ部２３の外周が外側にある。収縮時のフランジ部２３の内周を外側湾曲部３２に接触しないように又は軽く接触する程度に設定しておけば、木材が最も収縮したときにも内側部材２０に悪影響が生じないことがわかった。このように、フランジ部２３の幅が適切に設定されているので、木材である外側部材３０が膨張しても、内側部材２０のフランジとの間に隙間が生じないので、外観が悪化したり、隙間に異物が入り込んだりすることはない。
【００５５】
また、長手方向長さＤが０．２ｍｍ程度しか伸びないことから、上下方向の内側湾曲部２２及び外側湾曲部３２を互いに接着しても悪影響が発生しにくいことから、場合により、上下方向の内側湾曲部２２及び外側湾曲部３２を互いに接着してもよいことが判明した。
【００５６】
なお、詳しい説明は省略するが、比較データとして、外側部材３０の全体を内側部材２０に接着した場合の膨張試験を行ったところ、カバー１０全体での幅Ａ〜Ｃの変化は小さくなったが、その分反りＥが大きくなった。これは、内側部材２０が外側部材３０の膨張を無理に押さえ込んだことに起因すると考えられ、そうすることで、カバー１０を携帯端末本体５に嵌め込みにくくなったり、意図せず外れてしまうという不具合が発生した。
【００５７】
このように、本実施形態のカバー１０は、木材よりなる外側部材３０と樹脂成形品よりなる内側部材２０との二重構造であるため、強度が向上する上に、内側部材２０が樹脂成形品で構成されているので、携帯端末本体５に係合するための係合部２５、貫通孔１１ａ，１２ａ，１３ａ，１４ａなど複雑な形状でも容易に形成できる。また、木材が含水により膨張しても、少なくとも変形の大きい携帯端末本体５の長手方向５ａを覆う湾曲部２２，３２同士で外側部材３０と内側部材２０とが接着されていないので、この部分では外側部材３０のみが膨張し、内側部材２０が一緒に変形することはない。このため、内側部材２０が木材の膨張作用を阻害しないので、含水により膨張しない内側部材２０との間で無理な力がかからず、木材が劣化しにくく、外観も悪化しにくい。内側部材２０は含水により変形しないので、携帯端末本体５との間で寸法変化が生じず、金属バネ１６などによる嵌合が弱まるなどの悪影響が避けられる。また、外側部材３０と内側部材２０とを全面を接着する場合に比べて接着剤４２の量が減ってコストダウンとなると共に、接着剤４２がはみ出して見映えが悪くなるのを防止できる。
【００５８】
したがって、本実施形態にかかる携帯端末１のカバー１０によると、木材が水分を含んで膨張しても全体として見映えが悪化することなく快適に使用できる。
【００５９】
（その他の実施形態）
本発明は、上記実施形態について、以下のような構成としてもよい。
【００６０】
すなわち、上記実施形態では、ストレートタイプの携帯端末１としたが、表示部筐体が背面側筐体に対して回転する携帯端末や、表示部筐体が背面側筐体に対してスライドする携帯端末においては、背面側筐体の側面及び背面を覆うカバーに対して本発明を適用することができる。
【００６１】
上記実施形態では、携帯端末は、スマートフォンとしたが、ＰＨＳ（Personal Handy-phone System ）、ＰＤＡ(Personal Digital Assistant)、パソコン、モバイルツール、電子辞書、電卓、ゲーム機等であってもよい。
【００６２】
なお、以上の実施形態は、本質的に好ましい例示であって、本発明、その適用物や用途の範囲を制限することを意図するものではない。
【符号の説明】
【００６３】
１      携帯端末
２      表示部
４      タッチパネル
５      携帯端末本体
５ａ    側面
５ｂ    背面
１０      カバー
１１ａ    カメラ窓（貫通孔）
１１ｂ    カメラ窓（貫通孔）
１２ａ    フラッシュ窓（貫通孔）
１２ｂ    フラッシュ窓（貫通孔）
１４ａ    赤外線センサ用窓（貫通孔）
１４ｂ    赤外線センサ用窓（貫通孔）
１６      金属バネ（弾性変形可能な係合爪）
２０      内側部材
２１      内側平板部
２２      内側湾曲部
２３      フランジ部
３０      外側部材
３０ａ    木目
３１      外側平板部
３２      外側湾曲部
３２ａ    端面
４０      環状補強部材
４０ａ    フランジ
４０ｂ    突出部
４１      凹陥部
４２      接着剤、両面テープ
Ｗ      フランジ部の幅
【図１】
2012100034.tif 000003
【図２】
2012100034.tif 000004
【図３】
2012100034.tif 000005
【図４】
2012100034.tif 000006
【図５】
2012100034.tif 000007
【図６】
2012100034.tif 000008
【図７】
2012100034.tif 000009
【図８】
2012100034.tif 000010
【図９】
2012100034.tif 000011
【図１０】
2012100034.tif 000012
【図１１】
2012100034.tif 000013
【図１２】
2012100034.tif 000014
【図１３】
2012100034.tif 000015